(57)【要約】【課題】誤検出をより低減することができる表示装置等を提供する。又は、指示装置による指示入力をより確実に検出することができる表示装置等を提供する。【解決手段】表示装置は、画像を表示する表示部と、指示装置による表示部の表示面に対する指示入力を検出するタッチ検出部と、指示装置が有する色センサにより検知された指示入力位置における表示色を示す情報を取得する取得部と、画像の色と取得部により取得された情報が示す色とに基づいて指示入力位置を判定する判定処理を行う判定部とを備える。【選択図】図３１
2016206732.tif 000002
【特許請求の範囲】
【請求項１】
画像を表示する表示部と、
指示装置による前記表示部の表示面に対する指示入力を検出するタッチ検出部と、
前記指示装置が有する色センサにより検知された前記指示入力位置における表示色を示す情報を取得する取得部と、
前記画像の色と前記取得部により取得された情報が示す色とに基づいて指示入力位置を判定する判定処理を行う判定部と
を備える表示装置。
【請求項２】
前記判定部は、前記判定処理において前記表示部の表示領域を構成する複数の部分領域の各々で異なるように設定された画像の色と前記取得部により取得された情報が示す色とを照合する
請求項１に記載の表示装置。
【請求項３】
前記タッチ検出部は、駆動電極と、前記駆動電極の少なくとも一部と誘電体を挟んで対向するタッチ検出電極と、前記駆動電極に印加された駆動信号に応じて前記タッチ検出電極に生じた検出信号に基づいて前記指示入力を検出する検出部とを有し、
前記判定部は、前記検出部による検出結果のうち前記判定処理により判定された前記指示入力位置に対応しない検出結果を無効にする
請求項２に記載の表示装置。
【請求項４】
前記画像の色は、固定の色である
請求項１から３のいずれか一項に記載の表示装置。
【請求項５】
前記画像の色が前記固定の色である画像は、前記表示色と前記色センサによる検知結果とを対応付けるためのキャリブレーション画像である
請求項４に記載の表示装置。
【請求項６】
前記画像の色は、前記指示入力に応じて変化し、
前記判定部は、前記指示入力に応じた変化前後の前記画像の色に基づいて前記判定処理を行う
請求項１から３のいずれか一項に記載の表示装置。
【請求項７】
前記画像の色は、色の変化パターンが複数の部分領域の各々で異なる
請求項１から３のいずれか一項に記載の表示装置。
【請求項８】
画像を表示する表示部及び前記表示部の表示面に対する指示入力を検出するタッチ検出部を有する表示装置と、前記表示面に対する指示入力を行う指示装置と、を備えるタッチ検出システムであって、
前記指示装置は、
指示入力位置における前記表示面の表示色を検知する色センサと、
前記色センサにより検知された前記指示入力位置における表示色を示す情報を送信する送信部とを備え、
前記表示装置は、
前記送信部により送信された前記表示色を示す情報を取得する取得部と、
前記画像の色と前記取得部により取得された情報が示す色とに基づいて前記指示入力位置を判定する判定部と
を備えるタッチ検出システム。
【発明の詳細な説明】
【技術分野】
【０００１】
本発明は、表示装置及びタッチ検出システムに関する。
【背景技術】
【０００２】
画像が表示される表示面に対してタッチ指示装置（以下、指示装置）を用いて指示入力を行うことで表示内容に応じた入力操作を行うことができるタッチパネル方式の表示装置が知られている（例えば特許文献１）。
【先行技術文献】
【特許文献】
【０００３】
【特許文献１】特開２０１０−２１８１７５号公報
【発明の概要】
【発明が解決しようとする課題】
【０００４】
しかしながら、特許文献１に記載されているようなタッチパネル方式の表示装置は、表示面に対する指示装置以外の物体の近接又は接触を誤検出することがあるという問題があった。具体的には、例えば入力者が一方の手で指示装置を用いて表示面に対する指示入力を行う時に他方の手を表示面上に沿えてしまうことで他方の手がタッチ検出されてしまうことがあった。また、紙面上に文字を書く場合のように一方の手を表示面上に置いてしまうことで、一方の手が表示面に接触した位置がタッチ検出されてしまうことがあった。
【０００５】
本発明は、上記の課題に鑑みてなされたもので、誤検出をより低減することができる表示装置及びタッチ検出システムを提供することを目的とする。又は、指示装置による指示入力をより確実に検出することができる表示装置及びタッチ検出システムを提供することを目的とする。
【課題を解決するための手段】
【０００６】
本発明の一態様による表示装置は、画像を表示する表示部と、指示装置による前記表示部の表示面に対する指示入力を検出するタッチ検出部と、前記指示装置が有する色センサにより検知された前記指示入力位置における表示色を示す情報を取得する取得部と、前記画像の色と前記取得部により取得された情報が示す色とに基づいて指示入力位置を判定する判定処理を行う判定部とを備える。
【０００７】
本発明の一態様によるタッチ検出システムは、画像を表示する表示部及び前記表示部の表示面に対する指示入力を検出するタッチ検出部を有する表示装置と、前記表示面に対する指示入力を行う指示装置と、を備えるタッチ検出システムであって、前記指示装置は、指示入力位置における前記表示面の表示色を検知する色センサと、前記色センサにより検知された前記指示入力位置における表示色を示す情報を送信する送信部とを備え、前記表示装置は、前記送信部により送信された前記表示色を示す情報を取得する取得部と、前記画像の色と前記取得部により取得された情報が示す色とに基づいて前記指示入力位置を判定する判定部とを備える。
【図面の簡単な説明】
【０００８】
【図１】図１は、本発明の実施形態に係るタッチ検出システムの一例を示す斜視図である。
【図２】図２は、本発明の実施形態に係る表示装置の一構成例を表すブロック図である。
【図３】図３は、静電容量型タッチ検出方式の基本原理を説明するため、指示装置が接触又は近接していない状態を表す説明図である。
【図４】図４は、図３に示す指示装置が接触又は近接していない状態の等価回路の例を示す説明図である。
【図５】図５は、静電容量型タッチ検出方式の基本原理を説明するため、指示装置が接触又は近接した状態を表す説明図である。
【図６】図６は、図５に示す指示装置が接触又は近接した状態の等価回路の例を示す説明図である。
【図７】図７は、駆動信号及びタッチ検出信号の波形の一例を表す図である。
【図８】図８は、表示装置を実装したモジュールの一例を示す図である。
【図９】図９は、表示装置を実装したモジュールの一例を示す図である。
【図１０】図１０は、実施形態に係るタッチ検出機能付き表示デバイスの概略断面構造を表す断面図である。
【図１１】図１１は、本発明の実施形態に係るタッチ検出機能付き表示デバイスの画素配置を表す回路図である。
【図１２】図１２は、本発明の実施形態に係るタッチ検出機能付き表示デバイスの駆動電極及びタッチ検出電極の一構成例を表す斜視図である。
【図１３】図１３は、本発明の実施形態に係る表示装置の一動作例を表すタイミング波形図である。
【図１４】図１４は、指示装置の主要構成を示す図である。
【図１５】図１５は、部分領域と画像の色との関係を示す模式図である。
【図１６】図１６は、部分領域毎の色の一例を示す図である。
【図１７】図１７は、指示装置による指示入力位置と部分領域との関係の一例を示す模式図である。
【図１８】図１８は、図１７における指示装置による指示入力位置付近の拡大図である。
【図１９】図１９は、指示入力装置の接触とともに他の物体の接触が検出された状態の一例を示す模式図である。
【図２０】図２０は、図１９に示す検出結果に対して判定部によるパームリジェクション処理を適用した場合の例を示す図である。
【図２１】図２１は、ハイパーリンクの文字列毎に異なる色を設定することによるパームリジェクションの一例を示す模式図である。
【図２２】図２２は、指示入力に応じて画像の色が変ずる一例を示す模式図である。
【図２３】図２３は、指示入力に応じて画像の色が変ずる別の一例を示す模式図である。
【図２４】図２４は、ラジオボタン及びチェックボックスの選択前後の色の対応例を示す図である。
【図２５】図２５は、タッチ検出システムにおいて指示装置による指示入力位置の判定に係る各種の処理の関係の一例を示す図である。
【図２６】図２６は、画面の明るさと色センサによる表示色の検知結果との関係の一例を示す図である。
【図２７】図２７は、キャリブレーション画面の一例を示す図である。
【図２８】図２８は、キャリブレーション画面の別の一例を示す図である。
【図２９】図２９は、キャリブレーション画面の別の一例を示す図である。
【図３０】図３０は、アプリケーションソフトウェアを実行する情報処理装置と表示装置との関係の一例を示す図である。
【図３１】図３１は、スライタスモードに係る処理の流れの一例を示すフローチャートである。
【図３２】図３２は、キャリブレーション処理の流れの一例を示すフローチャートである。
【図３３】図３３は、変形例における部分領域毎の色の変化の差の一例を示すイメージ図である。
【図３４】図３４は、部分領域毎の色の変化の差を数値で表した例を示す図である。
【図３５】図３５は、指示装置による指示入力の開始前の表示例を示す図である。
【図３６】図３６は、指示装置による指示入力内容が反映された表示例を示す図である。
【図３７】図３７は、変形例におけるスライタスモードに係る処理の流れの一例を示すフローチャートである。
【発明を実施するための形態】
【０００９】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、本発明の実施形態に係るタッチ検出システム１の一例を示す斜視図である。タッチ検出システム１は、表示装置と、指示装置と、を備えるタッチ検出システムである。表示装置は、画像を表示する表示部２０及び表示部２０の表示面に対する指示入力を検出するタッチ検出部３０を有するデバイスであり、例えば本実施形態におけるタッチ検出機能付き表示装置１０である。指示装置は、表示面に対する指示入力を行うためのデバイスであり、例えば本実施形態における指示装置９０である。
【００１１】
まず、タッチ検出機能付き表示装置１０について説明する。図２は、本発明の実施形態に係るタッチ検出機能付き表示装置１０の一構成例を表すブロック図である。タッチ検出機能付き表示装置１０は、制御部１１と、ゲートドライバ１２と、ソースドライバ１３と、駆動電極ドライバ１４と、表示部２０と、タッチ検出部３０と、検出部４０と、光源装置５０と、表示制御部６０と、取得部７０と、判定部８０と、を備えている。このタッチ検出機能付き表示装置１０は、タッチ検出機能を内蔵した表示デバイスである。タッチ検出機能付き表示装置１０は、表示素子として透過型の液晶表示素子を用いている表示部２０と静電容量型のタッチ検出機能を有するタッチ検出部３０とを一体化した装置である。なお、タッチ検出機能付き表示装置１０は、表示部２０の上に、静電容量型のタッチ検出部３０を装着した装置であってもよい。なお、表示部２０は、例えば、有機ＥＬ表示デバイスであってもよい。
【００１２】
表示部２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、検出部４０及び表示制御部６０に対してそれぞれ制御信号を供給し、これらが互いに同期して動作するように制御する回路である。
【００１３】
ゲートドライバ１２は、制御部１１から供給される制御信号に基づいて、タッチ検出機能付き表示装置１０の表示駆動の対象となる１水平ラインを順次選択する機能を有している。
【００１４】
ソースドライバ１３は、制御部１１から供給される制御信号に基づいて、タッチ検出機能付き表示装置１０の、後述する各副画素ＳＰｉｘに画素信号Ｖｐｉｘを供給する回路である。
【００１５】
駆動電極ドライバ１４は、制御部１１から供給される制御信号に基づいて、タッチ検出機能付き表示装置１０の、後述する駆動電極ＣＯＭＬに駆動信号Ｖｃｏｍを供給する回路である。
【００１６】
検出部４０は、制御部１１から供給される制御信号と、タッチ検出機能付き表示装置１０のタッチ検出部３０から供給されたタッチ検出信号Ｖｄｅｔとに基づいて、タッチ検出部３０に対するタッチ（後述する接触又は近接の状態）の有無を検出し、タッチがある場合においてタッチ検出領域におけるその座標などを求める回路である。この検出部４０はタッチ検出信号増幅部４２と、Ａ／Ｄ変換部４３と、信号処理部４４と、座標抽出部４５と、検出タイミング制御部４６とを備えている。
【００１７】
タッチ検出信号増幅部４２は、タッチ検出部３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００１８】
タッチ検出部３０は、静電容量型タッチ検出の基本原理に基づいて動作し、タッチ検出信号Ｖｄｅｔを出力する。図２〜図７を参照して、本実施形態のタッチ検出機能付き表示装置１０におけるタッチ検出の基本原理について説明する。図３は、静電容量型タッチ検出方式の基本原理を説明するため、指示装置９０が接触または近接していない状態を表す説明図である。図４は、図３に示す指示装置９０が接触または近接していない状態の等価回路の例を示す説明図である。図５は、静電容量型タッチ検出方式の基本原理を説明するため、指示装置９０が接触または近接した状態を表す説明図である。図６は、図５に示す指示装置９０が接触または近接した状態の等価回路の例を示す説明図である。図７は、駆動信号及びタッチ検出信号の波形の一例を表す図である。
【００１９】
例えば、図３及び図５に示すように、容量素子Ｃ１、Ｃ１’は、誘電体Ｄを挟んで互いに対向配置された一対の電極、駆動電極Ｅ１及びタッチ検出電極Ｅ２を備えている。図４に示すように、容量素子Ｃ１は、その一端が交流信号源（駆動信号源）Ｓに結合され、他端は電圧検出器（タッチ検出部）ＤＥＴに結合される。電圧検出器ＤＥＴは、例えば図２に示すタッチ検出信号増幅部４２に含まれる積分回路である。
【００２０】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に結合された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２１】
指示装置９０がタッチしていない状態（非接触状態）では、図３及び図４に示すように、容量素子Ｃ１に対する充放電に伴って、容量素子Ｃ１の容量値に応じた電流Ｉ０が流れる。図７に示すように、電圧検出器ＤＥＴは、交流矩形波Ｓｇに応じた電流Ｉ０の変動を電圧の変動（実線の波形Ｖ０）に変換する。
【００２２】
一方、指示装置９０がタッチした状態（接触状態）では、図５に示すように、指示装置９０によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図６に示す等価回路でみると、容量素子Ｃ１’に電流Ｉ１が流れる。図７に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指示装置９０などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２３】
図２に示すタッチ検出部３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２４】
タッチ検出部３０は、複数の後述するタッチ検出電極ＴＤＬから、図４又は図６に示す電圧検出器ＤＥＴを介して、検出ブロック毎にタッチ検出信号Ｖｄｅｔを出力し、検出部４０のＡ／Ｄ変換部４３に供給するようになっている。
【００２５】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する回路である。
【００２６】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチ検出部３０に対するタッチの有無を検出する論理回路である。信号処理部４４は、指示装置９０による差分の電圧のみ取り出す処理を行う。この指示装置９０による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指示装置９０による差分の電圧を所定のしきい値電圧と比較し、このしきい値電圧以上であれば、外部から近接する外部近接物体の接触状態と判断し、しきい値電圧未満であれば、外部近接物体の非接触状態と判断する。
【００２７】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００２８】
図８及び図９は、タッチ検出機能付き表示装置１０を実装したモジュールの一例を示す図である。図８に示すように、タッチ検出機能付き表示装置１０は、モジュールへ実装するにあたり、ガラス基板の薄膜トランジスタ（ＴＦＴ；Thin  Film  Transistor）基板２１上に上述した駆動電極ドライバ１４を形成してもよい。
【００２９】
図８に示すように、タッチ検出機能付き表示装置１０は、タッチ検出機能付き表示装置１０と、駆動電極ドライバ１４と、ＣＯＧ（Chip  On  Glass）１９Ａとを有している。このタッチ検出機能付き表示装置１０は、後述するＴＦＴ基板２１の表面に対する垂直方向において、駆動電極ＣＯＭＬと、駆動電極ＣＯＭＬと立体交差するように形成されたタッチ検出電極ＴＤＬとを模式的に示している。つまり、駆動電極ＣＯＭＬは、タッチ検出機能付き表示装置１０の１辺に沿う方向に形成されており、タッチ検出電極ＴＤＬは、タッチ検出機能付き表示装置１０の他辺に沿う方向に形成されている。タッチ検出電極ＴＤＬの出力は、タッチ検出機能付き表示装置１０の他辺側に設けられ、フレキシブル基板などにより構成された端子部Ｔを介して、このモジュールの外部に実装された検出部４０と結合されている。駆動電極ドライバ１４は、ガラス基板であるＴＦＴ基板２１に形成されている。ＣＯＧ１９Ａは、ＴＦＴ基板２１に実装されたチップであり、図２に示した制御部１１、ゲートドライバ１２、ソースドライバ１３など、表示動作に必要な各回路を内蔵したものである。また、図９に示すように、タッチ検出機能付き表示装置１０は、ＣＯＧ１９Ｂに駆動電極ドライバ１４を内蔵してもよい。
【００３０】
図９に示すように、タッチ検出機能付き表示装置１０は、ＣＯＧ１９Ｂを有している。図９に示すＣＯＧ１９Ｂは、上述した表示動作に必要な各回路に加え、駆動電極ドライバ１４をさらに内蔵したものである。タッチ検出機能付き表示装置１０は、後述するように、表示動作の際に、１水平ラインずつ線順次走査を行う。つまり、タッチ検出機能付き表示装置１０は、表示走査を、タッチ検出機能付き表示装置１０の１辺に沿う方向と平行に行う。一方、タッチ検出機能付き表示装置１０は、タッチ検出動作の際に、駆動電極ＣＯＭＬに駆動信号Ｖｃｏｍを順次印加することにより、１検出ラインずつ線順次走査を行う。つまり、タッチ検出機能付き表示装置１０は、タッチ検出走査を、タッチ検出機能付き表示装置１０の他辺に沿う方向と平行に行う。
【００３１】
次に、タッチ検出機能付き表示装置１０の構成例を詳細に説明する。図１０は、本実施形態に係るタッチ検出機能付き表示デバイスの概略断面構造を表す断面図である。図１１は、本実施形態に係るタッチ検出機能付き表示デバイスの画素配置を表す回路図である。タッチ検出機能付き表示装置１０は、画素基板２と、この画素基板２の表面に垂直な方向に対向して配置された対向基板３と、画素基板２と対向基板３との間に挿設された液晶層６とを備えている。
【００３２】
画素基板２は、回路基板としてのＴＦＴ基板２１と、このＴＦＴ基板２１上に行列状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図１１に示す各副画素ＳＰｉｘのＴＦＴ素子Ｔｒ、図１０に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ＴＦＴ基板２１の表面と平行な平面に延在し、画素に画像を表示するための画素信号Ｖｐｉｘを供給する。図１１に示す表示部２０は、行列状に配置した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は信号線ＳＧＬに結合され、ゲートは走査線ＧＣＬに結合され、ソース又はドレインの他方は液晶素子ＬＣの一端に結合されている。液晶素子ＬＣは、例えば、一端がＴＦＴ素子Ｔｒのドレインに結合され、他端が駆動電極ＣＯＭＬに結合されている。
【００３３】
図１１に示す副画素ＳＰｉｘは、走査線ＧＣＬにより、表示部２０の同じ行に属する他の副画素ＳＰｉｘと互いに結合されている。走査線ＧＣＬは、ゲートドライバ１２と結合され、ゲートドライバ１２より走査信号Ｖｓｃａｎが供給される。また、副画素ＳＰｉｘは、信号線ＳＧＬにより、表示部２０の同じ列に属する他の副画素ＳＰｉｘと互いに結合されている。信号線ＳＧＬは、ソースドライバ１３と結合され、ソースドライバ１３より画素信号Ｖｐｉｘが供給される。さらに、副画素ＳＰｉｘは、駆動電極ＣＯＭＬにより、表示部２０の同じ行に属する他の副画素ＳＰｉｘと互いに結合されている。駆動電極ＣＯＭＬは、駆動電極ドライバ１４と結合され、駆動電極ドライバ１４より駆動信号Ｖｃｏｍが供給される。つまり、この例では、同じ一行に属する複数の副画素ＳＰｉｘが一本の駆動電極ＣＯＭＬを共有するようになっている。本実施形態の駆動電極ＣＯＭＬの延びる方向は、走査線ＧＣＬの延びる方向と平行である。本実施形態の駆動電極ＣＯＭＬの延びる方向は、限定されず、例えば、駆動電極ＣＯＭＬの延びる方向は、信号線ＳＧＬの延びる方向と平行な方向であってもよい。
【００３４】
図２に示すゲートドライバ１２は、走査信号Ｖｓｃａｎを、図１１に示す走査線ＧＣＬを介して、画素ＰｉｘのＴＦＴ素子Ｔｒのゲートに印加することにより、表示部２０に行列状に形成されている副画素ＳＰｉｘのうちの１行（１水平ライン）を表示駆動の対象として順次選択する。図２に示すソースドライバ１３は、画素信号Ｖｐｉｘを、図１１に示す信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図２に示す駆動電極ドライバ１４は、駆動信号Ｖｃｏｍを印加し、図８及び図９に示す、所定の本数の駆動電極ＣＯＭＬからなるブロックごとに駆動電極ＣＯＭＬを駆動する。
【００３５】
上述したように、表示部２０は、ゲートドライバ１２が走査線ＧＣＬを時分割的に線順次走査するように駆動することにより、１水平ラインが順次選択される。また、表示部２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００３６】
本実施形態に係る駆動電極ＣＯＭＬは、表示部２０の駆動電極として機能するとともに、タッチ検出部３０の駆動電極としても機能する。図１２は、本実施形態に係るタッチ検出機能付き表示デバイスの駆動電極及びタッチ検出電極の一構成例を表す斜視図である。図１２に示す駆動電極ＣＯＭＬは、図１０に示すように、ＴＦＴ基板２１の表面に対する垂直方向において、画素電極２２に対向している。タッチ検出部３０は、画素基板２に設けられた駆動電極ＣＯＭＬと、対向基板３に設けられたタッチ検出電極ＴＤＬを含んで構成されている。タッチ検出電極ＴＤＬは、駆動電極ＣＯＭＬの電極パターンの延在方向と交差する方向に延びるストライプ状の電極パターンを含んで構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、検出部４０のタッチ検出信号増幅部４２の入力にそれぞれ結合されている。駆動電極ＣＯＭＬとタッチ検出電極ＴＤＬにより互いに交差した電極パターンは、その交差部分に静電容量を生じさせている。なお、タッチ検出電極ＴＤＬ又は駆動電極ＣＯＭＬ（駆動電極ブロック）は、ストライプ状に複数に分割される形状に限られない。例えば、タッチ検出電極ＴＤＬ又は駆動電極ＣＯＭＬ（駆動電極ブロック）は、櫛歯形状であってもよい。あるいはタッチ検出電極ＴＤＬ又は駆動電極ＣＯＭＬ（駆動電極ブロック）は、複数に分割されていればよく、駆動電極ＣＯＭＬを分割するスリットの形状は直線であっても、曲線であってもよい。
【００３７】
この構成により、タッチ検出部３０では、タッチ検出動作を行う際、駆動電極ドライバ１４が、駆動電極ブロックを時分割的に線順次走査するように駆動する。これにより、スキャン方向Ｓｃａｎに駆動電極ＣＯＭＬの１検出ブロックが順次選択される。そして、タッチ検出電極ＴＤＬからタッチ検出信号Ｖｄｅｔが出力される。このようにタッチ検出部３０は、１検出ブロックのタッチ検出が行われるようになっている。つまり、駆動電極ブロックは、上述したタッチ検出の基本原理における駆動電極Ｅ１に対応し、タッチ検出電極ＴＤＬは、タッチ検出電極Ｅ２に対応するものであり、タッチ検出部３０はこの基本原理に従ってタッチを検出するようになっている。図１２に示すように、互いに交差した電極パターンは、静電容量式タッチセンサを行列状に構成している。よって、タッチ検出部３０のタッチ検出面全体にわたって走査することにより、指示装置９０等の外部近接物体のタッチが生じた位置の検出も可能となっている。
【００３８】
液晶層６は、電界の状態に応じてそこを通過する光を変調するものであり、例えば、ＦＦＳ（Fringe  Field  Switching、フリンジフィールドスイッチング）を含むＩＰＳ（In  Plane  Switching、インプレーンスイッチング）等の横電界モードの液晶を用いた液晶表示デバイスが用いられる。なお、図１０に示す液晶層６と画素基板２との間、及び液晶層６と対向基板３との間には、それぞれ配向膜が配設されてもよい。
【００３９】
対向基板３は、ガラス基板３１と、このガラス基板３１の一方の面に形成されたカラーフィルタ３２とを含む。ガラス基板３１の他方の面には、タッチ検出部３０のタッチ検出電極ＴＤＬが形成され、さらに、このタッチ検出電極ＴＤＬの上には、偏光板３５が配設されている。
【００４０】
図１０に示すカラーフィルタ３２は、例えば赤（Ｒ）、緑（Ｇ）、青（Ｂ）の３色に着色されたカラーフィルタの色領域を周期的に配置して、上述した図１１に示す各副画素ＳＰｉｘにＲ、Ｇ、Ｂの３色の色領域３２Ｒ、３２Ｇ、３２Ｂ（図１１参照）が対応付けられ、色領域３２Ｒ、３２Ｇ、３２Ｂを１組として画素Ｐｉｘを構成している。画素Ｐｉｘは、走査線ＧＣＬに平行な方向及び信号線ＳＧＬに平行な方向に沿って行列状に配置され、後述する表示領域Ａｄを形成する。カラーフィルタ３２は、ＴＦＴ基板２１と垂直な方向において、液晶層６と対向する。このように、副画素ＳＰｉｘは、単色の色表示を行うことができる。なお、カラーフィルタ３２は、異なる色に着色されていれば、他の色の組み合わせであってもよい。また、カラーフィルタ３２は、なくてもよい。このように、カラーフィルタ３２が存在しない領域、すなわち着色しない副画素ＳＰｉｘがあってもよい。
【００４１】
駆動電極ＣＯＭＬは、表示部２０の共通駆動電極として機能するとともに、タッチ検出部３０の駆動電極としても機能するので、駆動信号Ｖｃｏｍが互いに影響を及ぼす可能性がある。このため、駆動電極ＣＯＭＬは、表示動作を行う表示期間Ｂと、タッチ検出動作を行うタッチ検出期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００４２】
制御部１１は、外部より供給された映像信号Ｖｄｉｓｐに基づいて、ゲートドライバ１２、ソースドライバ１３、駆動電極ドライバ１４、及び検出部４０に対してそれぞれ制御信号を供給し、これらがお互いに同期して動作するように制御する。ゲートドライバ１２は、表示期間Ｂにおいて、表示部２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００４３】
表示期間Ｂでは、駆動電極ドライバ１４が１水平ラインに係る駆動電極ブロックに表示駆動信号Ｖｃｏｍｄを印加する。タッチ検出期間Ａでは、駆動電極ドライバ１４がタッチ検出動作に係る駆動電極ブロックに対してタッチ駆動信号Ｖｃｏｍｔを順次印加し、１検出ブロックを順次選択する。タッチ検出機能付き表示装置１０は、表示期間Ｂにおいて、ゲートドライバ１２、ソースドライバ１３及び駆動電極ドライバ１４により供給された信号に基づいて表示動作を行う。タッチ検出機能付き表示装置１０は、タッチ検出期間Ａにおいて、駆動電極ドライバ１４により供給された信号に基づいてタッチ検出動作を行い、タッチ検出電極ＴＤＬからタッチ検出信号Ｖｄｅｔを出力する。タッチ検出信号増幅部４２は、タッチ検出信号Ｖｄｅｔを増幅して出力する。Ａ／Ｄ変換部４３は、タッチ駆動信号Ｖｃｏｍｔに同期したタイミングで、タッチ検出信号増幅部４２から出力されるアナログ信号をデジタル信号に変換する。信号処理部４４は、Ａ／Ｄ変換部４３の出力信号に基づいて、タッチ検出部３０に対するタッチの有無を検出する。座標抽出部４５は、信号処理部４４においてタッチ検出がなされたときに、そのタッチパネル座標を求める。
【００４４】
次に、タッチ検出機能付き表示装置１０の詳細動作を説明する。図１３は、本実施形態に係るタッチ検出機能付き表示装置１０の一動作例を表すタイミング波形図である。図１３に示すように、表示部２０は、ゲートドライバ１２から供給される走査信号Ｖｓｃａｎに従って、走査線ＧＣＬのうちの、隣接する（ｎ−１）行目、ｎ行目、（ｎ＋１）行目の走査線ＧＣＬの１水平ラインずつ順次走査して表示を行う。同様に、駆動電極ドライバ１４は、制御部１１から供給される制御信号に基づいて、タッチ検出機能付き表示装置１０の、駆動電極ＣＯＭＬのうちの、隣接する（ｎ−１）行目、ｎ行目、（ｎ＋１）行目に供給する。
【００４５】
このように、タッチ検出機能付き表示装置１０では、１表示水平期間（１Ｈ）ごとに、タッチ検出動作（タッチ検出期間Ａ）と表示動作（表示期間Ｂ）を時分割的に行う。タッチ検出動作では、１表示水平期間１Ｈごとに、異なる駆動電極ＣＯＭＬを選択して駆動信号Ｖｃｏｍを印加することにより、タッチ検出の走査を行う。以下に、その動作を詳細に説明する。
【００４６】
まず、ゲートドライバ１２が、（ｎ−１）行目の走査線ＧＣＬに対して走査信号Ｖｓｃａｎを印加し、走査信号Ｖｓｃａｎ（ｎ−１）が低レベルから高レベルに変化する。これにより、１表示水平期間（１Ｈ）が開始する。
【００４７】
次に、タッチ検出期間Ａにおいて、駆動電極ドライバ１４が、（ｎ−１）行目の駆動電極ＣＯＭＬに対して駆動信号Ｖｃｏｍを印加し、駆動信号Ｖｃｏｍ（ｎ−１）が低レベルから高レベルに変化する。この駆動信号Ｖｃｏｍ（ｎ−１）は、静電容量を介してタッチ検出電極ＴＤＬに伝わり、タッチ検出信号Ｖｄｅｔが変化する。次に、駆動信号Ｖｃｏｍ（ｎ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置１０では、１検出ラインのタッチ検出が行われる。
【００４８】
次に、表示期間Ｂにおいて、ソースドライバ１３が、信号線ＳＧＬに対して画素信号Ｖｐｉｘを印加し、１水平ラインに対する表示を行う。なお、図１３に示したように、この画素信号Ｖｐｉｘの変化が、駆動電極と検出電極間に形成された容量を介してタッチ検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査線ＧＣＬの走査信号Ｖｓｃａｎ（ｎ−１）を高レベルから低レベルに変化させ、１表示水平期間（１Ｈ）が終了する。
【００４９】
次に、ゲートドライバ１２は、先ほどとは異なるｎ行目の走査線ＧＣＬに対して走査信号Ｖｓｃａｎを印加し、走査信号Ｖｓｃａｎ（ｎ）が低レベルから高レベルに変化する。これにより、次の１表示水平期間（１Ｈ）が開始する。
【００５０】
次のタッチ検出期間Ａにおいて、駆動電極ドライバ１４が、先ほどとは異なるｎ行目の駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。
【００５１】
次に、表示期間Ｂにおいて、ソースドライバ１３が、信号線ＳＧＬに対して画素信号Ｖｐｉｘを印加し、１水平ラインに対する表示を行う。また、駆動電極ドライバ１４が表示駆動信号Ｖｃｏｍｄを駆動電極ＣＯＭＬに共通電位として印加している。ここで、表示駆動信号Ｖｃｏｍｄの電位は、例えば、タッチ検出期間Ａにおける駆動信号Ｖｃｏｍの低レベルの電位となっている。なお、本実施形態のタッチ検出機能付き表示装置１０はドット反転駆動を行うため、ソースドライバ１３が印加する画素信号Ｖｐｉｘは、前の１表示水平期間のものと比べて、その極性が反転している。この表示期間Ｂが終了した後、この１表示水平期間１Ｈが終了する。
【００５２】
これ以降、上述した動作を繰り返すことにより、タッチ検出機能付き表示装置１０は、表示面全面にわたる走査により表示動作を行うとともに、タッチ検出面全面にわたる走査によりタッチ検出動作を行う。
【００５３】
タッチ検出機能付き表示装置１０では、１表示水平期間（１Ｈ）において、タッチ検出動作はタッチ検出期間Ａに行い、表示動作は表示期間Ｂに行うようにしている。このように、タッチ検出動作と表示動作とを別々の期間に行うようにしたので、同じ１表示水平期間において表示動作とタッチ検出動作の両方を行うことができるとともに、表示動作のタッチ検出に対する影響を抑えることができる。
【００５４】
光源装置５０は、タッチ検出機能付き表示装置１０の背面、すなわち、表示面と反対側の面に面するよう設けられて、背面側で発光してタッチ検出機能付き表示装置１０の照明として機能する。具体的には、光源装置５０は、例えば、発光ダイオード等、通電に応じて発光する光源５１、光源５１からの光を表示部２０側に射出するよう導く導光板５２等を有する。光源装置５０は、表示素子として透過型の液晶表示素子を用いている表示部２０に設けられるものであり、表示部２０が自発光型の表示デバイス（例えば、有機ＥＬ表示デバイス）である場合には省略される。
【００５５】
本実施形態のタッチ検出機能付き表示装置１０は、画面の明るさを調節する機能を有している。具体的には、例えば図示しない設定画面等を介して画面の明るさを設定することができる。光源装置５０は、係る設定に応じた明るさで発光するよう動作する。表示部２０が自発光型の表示デバイスである場合、係る設定に応じた明るさで各表示素子が発光する。
【００５６】
取得部７０、判定部８０及び表示制御部６０は、例えばタッチ検出機能付き表示装置１０に設けられた回路であり、予め定められた処理の流れで信号処理を行う。取得部７０、判定部８０及び表示制御部６０の機能については後述する。
【００５７】
次に、指示装置９０について説明する。図１４は、指示装置９０の主要構成を示す図である。指示装置９０は、感知部９１と、色センサ９２と、データ変換部９３と、送信部９４とを備える。本実施形態の指示装置９０は所謂スライタスであり、感知部９１が設けられた先端側が先細り（錐形状）に形成されて筆記具を模した形態を有しているが、これは指示装置９０の形態の一例であってこれに限られるものでなく、適宜変更可能である。
【００５８】
感知部９１は、表示部２０の表示面とのタッチ位置における光を色センサ９２に導く。具体的には、感知部９１は、例えば所謂光ファイバーの一端であり、指示装置９０の先端側から光が進入するよう設けられている。進入した光は、感知部９１と色センサ９２とを接続する光ファイバー等の導光部を介して色センサ９２に導く。
【００５９】
色センサ９２は、指示入力位置における表示面の表示色を検知する。具体的には、色センサ９２は、感知部９１から進入した表示面からの光の色に応じた電気信号を出力する回路である。データ変換部９３は、色センサ９２から出力されたアナログの電気信号を所定のフォーマット（例えば、Ｒ，Ｇ，Ｂの階調値）のデジタル信号に変換する回路である。なお、本実施形態では、色センサ９２とデータ変換部９３とが別構成であるが、一体化されていてもよい。送信部９４は、色センサ９２により検知された指示入力位置における表示色を示す情報を送信する。具体的には、送信部９４は、例えば短距離無線通信による通信機能を有する通信デバイスを有する。送信部９４は、データ変換部９３から出力されるデジタル信号、すなわち、色センサ９２により検知された指示入力位置における表示面の表示色を示す情報をデジタル化したデータを送信する。
【００６０】
次に、指示装置９０から送信される表示色を示す情報と、タッチ検出機能付き表示装置１０が備える表示制御部６０、取得部７０及び判定部８０の関係について説明する。表示制御部６０は、表示部２０の表示領域を構成する複数の部分領域の各々で、表示出力される色が異なるように画像の色を設定する。
【００６１】
図１５は、部分領域と画像の色との関係を示す模式図である。図１５及び後述する図１６を参照した説明では、表示制御部６０が行う処理の説明の簡略化を目的とし、表示部２０の表示領域全体に白色（例えば、ＲＧＢ＝（２５５，２５５，２５５））を示す映像信号Ｖｄｉｓｐが入力された場合について説明するが、他の色を示す映像信号Ｖｄｉｓｐが入力された場合であっても同様である。表示制御部６０は、表示部２０の表示領域に複数の部分領域を設定する。具体的には、例えば図１５に示すように、画素ＰｉｘがＸ方向に沿ってＰ個、Ｙ方向にＱ個設けられた表示部２０の表示領域に複数の部分領域を設定する。Ｘ方向に沿ってＶ個、Ｙ方向に沿ってＷ個の部分領域が設けられている場合、１≦Ｖ≦Ｐ、１≦Ｗ≦Ｑが成り立つ。ただし、Ｖ、Ｗがともに１であることはなく、少なくともいずれか一方は２以上である。図１５の模式図は、Ｖ＝４、Ｗ＝８の場合を例示している。図１６との対応関係を示す目的で、Ｘ方向に沿って部分領域Ａ１，Ａ２，Ａ３，Ａ４のように４つの部分領域が並び、かつ、Ｙ方向に沿って部分領域Ａ１，Ｂ１，Ｃ１，Ｄ１，…のように８つの部分領域が並ぶものとして符号を付している。
【００６２】
図１６は、部分領域毎の色の一例を示す図である。表示制御部６０は、複数の部分領域の各々で、表示出力される色が異なるように画像の色を設定する。具体的には、表示制御部６０は、例えば図１６に示すように、Ｒ，Ｇ，Ｂの階調値の組み合わせが同一となる部分領域がないように、複数の部分領域の各々の出力信号Ｖｅｄｉｔを決定する。より具体的には、表示制御部６０は、指示装置９０の色センサ９２が複数の部分領域の各々の色を識別することができる色の差を設定する。また、本実施形態において、表示制御部６０は、係る色の差を複数の部分領域に設定するとともに、部分領域の色をできるだけ映像信号Ｖｄｉｓｐが示す色に近い色とする。また、本実施形態において、表示制御部６０は、隣接する部分領域同士の色の差の度合いを、指示装置９０の色センサ９２が識別可能な最小限の差とする。
【００６３】
上記で説明したように、この説明では、表示部２０の表示領域全体に白色（例えば、ＲＧＢ＝（２５５，２５５，２５５））を示す映像信号Ｖｄｉｓｐが入力された場合について説明している。よって、図１６に示す例では、複数の部分領域Ａ１，Ａ２，…の各々の色は、ＲＧＢ＝（２５５，２５５，２５５）の階調値又はこの階調値に近い階調値になっている。表示制御部６０による複数の部分領域の色の設定により、厳密には部分領域毎に色が異なるグラデーション状の表示出力が表示部２０によって行われることになる。本実施形態では、隣接する部分領域同士の色の差の度合いを指示装置９０の色センサ９２が識別可能な最小限の差としているので、タッチ検出システム１のユーザからは実質的に同一色（白色）が表示領域全体に表示されているように見える。
【００６４】
図１６では、一例として、左下の部分領域Ａ１がＲＧＢ＝（２５５，２５５，２５５）であるものとしている。また、Ｙ方向（列方向）について、部分領域Ａ１の列は、部分領域Ａ１を除いてＲ＜Ｇ＝Ｂが成立するようにＲＧＢの階調値が設定されている。また、部分領域Ａ２の列は、Ｒ＜Ｇ＞Ｂが成立するようにＲＧＢの階調値が設定されている。また、部分領域Ａ３の列は、Ｒ≧Ｇ＜Ｂが成立するようにＲＧＢの階調値が設定されている。また、部分領域Ａ４の列は、ＲＧＢ＝（２５５，２５５，２５５）を含まず、かつ、Ｒ≧Ｇ＝Ｂが成立するようにＲＧＢの階調値が設定されている。このような設定によれば、図１５に示すように、右上の部分領域Ｈ４は、例えばＲＧＢ＝２５１，２５１，２５１になる。図１６に示すようなＲＧＢの階調値の設定方法はあくまで複数の部分領域の各々の階調値を異ならせるための方法の一例であってこれに限られるものでない。実際には、部分領域間の色差がより視認しにくくなるように複数の部分領域の各々の階調値が決定される。
【００６５】
表示領域における部分領域の数、形状その他の具体的態様は、任意である。ただし、部分領域は、２以上である。例えば、１つの画素Ｐｉｘを１つの部分領域としてもよい。この場合が実質的に最小の部分領域の単位となる。
【００６６】
図１７、図１８を参照して、本実施形態における判定処理の基本的な考え方について説明する。図１７は、指示装置９０による指示入力位置と部分領域との関係の一例を示す模式図である。図１８は、指示装置９０から送信される情報の一例を示すイメージ図である。図１８に示すタッチ検出機能付き表示装置１０の部分領域は、図１７における指示装置９０による指示入力位置付近の拡大図である。図１８は、図１７における左下側のＸ方向×Ｙ方向：２個×４個分の部分領域に係る拡大図である。図１７、図１８に示すように、特定の部分領域（例えば、部分領域Ｂ１）に対応する指示入力位置に指示装置９０がタッチした場合、ＲＧＢ＝（２５４，２５５，２５５）の階調値に対応する色が色センサ９２により検出され、送信部９４により係る検出結果を示す情報の送信が行われることになる。
【００６７】
取得部７０は、指示装置９０が有する色センサ９２により検知された指示入力位置における表示色を示す情報を取得する。具体的には、取得部７０は、送信部９４からの送信データを受信することができる短距離無線通信の通信デバイスを有し、送信部９４から送信されたデータ、すなわち、色センサ９２により検知された指示入力位置における表示面の表示色を示す情報をデジタル化したデータを受信して取得する。取得部７０及び送信部９４に採用することができる短距離無線通信として、例えばＢｌｕｅｔｏｏｔｈ（登録商標）のような所定の通信規格が挙げられるが、これはタッチ検出機能付き表示装置１０と指示装置９０との通信を実現するための構成の具体例であってこれに限られるものでない。取得部７０及び送信部９４に採用される通信方式は、タッチ検出機能付き表示装置１０が備える取得部７０と通信が可能であればどのような通信方式であってもよい。
【００６８】
判定部８０は、表示部２０により表示されている画像の色と取得部７０により取得された情報が示す色とに基づいて指示入力位置を判定する判定処理を行う。具体的には、判定部８０は、取得部７０により取得された情報が示す色と、表示制御部６０により設定された複数の部分領域の各々の色とを照合し、取得部７０により取得された情報が示す色と一致する部分領域を特定する。ここで、取得部７０により取得された情報が示す色とは、すなわち指示装置９０の色センサ９２により検知された色である。指示装置９０の色センサ９２により検知された色は、指示装置９０の感知部９１がタッチしている位置（すなわち、指示入力位置）の表示色である。判定部８０は、特定された部分領域内に指示装置９０による指示入力位置が存すると判定する。このように、判定部８０は、判定処理において表示部２０の表示領域を構成する複数の部分領域の各々で異なるように設定された画像の色と取得部７０により取得された情報が示す色とを照合する。表示部２０の表示領域における複数の部分領域の配置及び複数の部分領域の各々で異なるように設定された画像の色を示すデータは、例えば色設定データ８１として判定部８０に設けられたメモリに保持される（図２５参照）。判定部８０は、係る色設定データ８１と取得部７０により取得された情報が示す色とを照合する。
【００６９】
判定部８０は、判定処理による判定結果を用いてパームリジェクション処理を行う。以下、パームリジェクション処理について図１９、図２０を参照して説明する。
【００７０】
図１９は、指示入力装置のタッチとともに他の物体のタッチが検出された状態の一例を示す模式図である。図２０は、図１９に示す検出結果に対して判定部８０によるパームリジェクション処理を適用した場合の例を示す図である。図１９、図２０に示す部分領域は、図１８に示す部分領域と同一である。例えば図１９に示すように、部分領域Ｂ１に対して指示装置９０による指示入力が行われている時に、係る指示入力に対応する検出に加えて、他のタッチパネル座標での検出を示す信号出力Ｖｏｕｔがタッチ検出部３０から得られたとする。図１９に示す例では、指示装置９０のタッチ位置を示すタッチパネル座標Ｓｉｇ、指示装置９０以外の物体（例えば、ヒトの指等）が表示面にタッチしていること（パーム：Palm）により生じた静電容量により検出されたタッチパネル座標Ｐａｌ、何らかの理由（例えば、布等の近接）により生じたノイズにより検出されたタッチパネル座標Ｎｏｉが一度に検出された信号出力Ｖｏｕｔが得られた場合を模式的に示している。
【００７１】
判定部８０は、上記の判定処理により指示装置９０のタッチ位置を示す部分領域を判定すると、信号出力Ｖｏｕｔが示すタッチパネル座標のうち、判定処理により指示装置９０のタッチ位置と判定された部分領域以外のタッチパネル座標を無効にするパームリジェクション処理を行う。図１９に示すような信号出力Ｖｏｕｔが得られた場合にパームリジェクション処理を適用したとき、図２０に示すように、パームによるタッチパネル座標Ｐａｌ及びノイズによるタッチパネル座標Ｎｏｉが無効にされ、指示装置９０のタッチ位置を示すタッチパネル座標Ｓｉｇのみが有効なタッチ検出結果として残る。このように、判定部８０は、検出部４０による検出結果のうち判定処理により判定された指示入力位置に対応しない検出結果を無効にする。パームリジェクション処理により、タッチ検出システム１は、指示装置９０以外がタッチ検出機能付き表示装置１０の表示面にタッチしたとしても指示装置９０による指示入力位置のみを抽出することができる。よって、指示入力装置を用いた指示入力をより正確に行うことができる。なお、図１９等では分かりやすさを優先してタッチパネル座標Ｓｉｇを指示装置９０の先端の大きさよりも大きく図示しているが、実際にはもっと小さく検出される。図２等では、パームリジェクション処理後の判定結果を示す出力を、出力Ｖｆｉｎとして示している。
【００７２】
図２１は、ハイパーリンクの文字列毎に異なる色を設定することによるパームリジェクションの一例を示す模式図である。例えば、図２１に示すように、複数行のハイパーリンクの文字列の各々を異なる部分領域（例えば、Ｙ方向に沿って並ぶ複数の部分領域の各々）に配置し、各ハイパーリンクの文字列の色を色センサ９２が識別することができる程度に異なる色にする。ここで、いずれか一つのハイパーリンクが表示されている位置である部分領域Ｆ１に対して指示装置９０による指示入力が行われてタッチパネル座標Ｓｉｇが検出される時に、パームによるタッチパネル座標Ｐａｌやノイズによるタッチパネル座標Ｎｏｉが混じっていたとする。このような場合でも、パームリジェクション処理を行うことで、図２１における部分領域Ｆ１に対する指示入力を指示装置９０による指示入力として判定し、他の部分領域におけるタッチの検出を無効とすることができる。よって、パームやノイズを無効にして部分領域Ｆ１に文字列が含まれるハイパーリンクに対する指示入力をより正確に判定することができる。なお、図２１に示す場合、Ｘ方向に沿って部分領域を複数設けることは必須でない。また、図２１における一つのハイパーリンクを構成する文字列を表示出力している画素の集合を一つの部分領域とするようにしてもよい。
【００７３】
図１７〜図２１で示してきた例では、タッチ検出が行われる際の画面の色は固定である。すなわち、タッチ検出中に画面の表示内容が変化することはなく、複数の部分領域の各々で色センサにより検知される表示色は検出タイミングによって変化することはない。一方、本実施形態は、指示入力に応じて画像の色が変ずる場合にも対応することができる。以下、図２２〜図２４を参照して指示入力に応じて画像の色が変ずる場合について説明する。
【００７４】
図２２は、指示入力に応じて画像の色が変ずる一例を示す模式図である。図２３は、指示入力に応じて画像の色が変ずる別の一例を示す模式図である。図２２に示すように、複数のラジオボタンのうち一つを指示装置９０による指示入力で選択するような画面が表示される場合において、ラジオボタンをそれぞれ異なる部分領域に配置する。これによって、判定処理及びパームリジェクション処理により、指示装置９０による指示入力位置をより正確に判定することができる。また、図２３に示すように、複数のチェックボックスのうち任意の数のチェックボックスを指示装置９０による指示入力で選択するような画面が表示される場合においても同様に、チェックボックスをそれぞれ異なる部分領域に配置することで指示装置９０による指示入力位置をより正確に判定することができる。
【００７５】
図２４は、ラジオボタン及びチェックボックスの選択前後の色の対応例を示す図である。図２２におけるラジオボタンの円内の領域は、指示入力による選択前後でボタン内にチェック結果を示す画像（塗りつぶされた円）の表示の有無が切り替わる。このため、図２４に示すように、選択前の色（背景色）に加えて、選択後の色（塗りつぶされた円の画像の色）を複数の部分領域の各々で異なるように設定することで、選択前後に関わらず指示装置９０による指示入力位置と部分領域との照合を行うことができる。図２４では、選択前の色を図１６の例と同様に白色に近い色とし、選択後の色を黒色に近い色としているが、これらの色は適宜変更可能である。なお、図２４のような指示入力前後の色の設定は、ラジオボタンに限らず、図２３で示すチェックボックス等、指示入力前後で表示内容が変ずる他の表示内容にも適用することができる。
【００７６】
図２５は、タッチ検出システム１において指示装置９０による指示入力位置の判定に係る各種の処理の関係の一例を示す図である。図２４の例で示すように指示入力に応じて色が変ずる表示が行われる場合、タッチ検出機能付き表示装置１０は、判定処理で用いられる情報のうち複数の部分領域の各々の色の情報を表示内容に応じて更新するための処理を行う。具体的には、例えば映像信号Ｖｄｉｓｐが示す表示態様を１フレーム分バッファリングし、連続する２フレーム間での表示色の変化を監視し、表示色の変化が確認された場合に照合に用いられる複数の部分領域の色設定を更新するようにしてもよい。図２５に示す例では、表示制御部６０に設けられた表示色監視部６２が表示色の変化を監視し、色設定更新部６３が色設定を更新しているが、表示色監視部６２、色設定更新部６３及びバッファリングのためのバッファメモリ６１は表示制御部６０が有する構成であってもよいし独立した構成であってもよい。
【００７７】
なお、図１８に示す例では、表示色の階調値がそのまま色センサ９２により検知されているが、これは分かりやすさを優先した説明のための記載であり、実際には表示色の階調値がそのまま検知されるわけでない。
【００７８】
図２６は、画面の明るさと色センサ９２による表示色の検知結果との関係の一例を示す図である。図２６の例で示すように、色センサ９２により検知される色は、同じ部分領域であって、かつ、同じ表示内容であったとしても、画面の明るさによって異なる。図２６では、異なる２種類の画面の明るさ（明るさ１、明るさ２）における部分領域Ａ１〜Ａ４を例示しているが、他の部分領域についても同様に明るさによって検知結果がそれぞれ異なるものになる。また、図２６では、明るさ１よりも明るさ２の方が明るい表示出力が行われるものとしているが、３種類以上の画面の明るさの設定でも同様に検知結果がそれぞれ異なるものになる。図２６では、色センサ９２がＲ，Ｇ，Ｂの階調値で検出結果を出力する例を示しているが、これは色センサ９２の出力内容の一例であってこれに限られるものでない。
【００７９】
図２６を参照して説明したように、色センサ９２による検知結果は画面の明るさによって変わりうる。このため、本実施形態のタッチ検出機能付き表示装置１０は、色センサ９２による検知結果と表示色との対応付けに係る処理（キャリブレーション処理）を行う。
【００８０】
図２７は、キャリブレーション画面の一例を示す図である。図２７に示すキャリブレーション画面における円画像Ｃｉｒの表示色は、所定の色（例えば、ＲＧＢ＝（１２８，１２８，１２８））である。キャリブレーション処理において、表示制御部６０は、例えば図２７に示すようなキャリブレーション画面を表示させる。円画像Ｃｉｒの表示位置に対して指示装置９０による指示入力が行われると、指示装置９０の色センサ９２が円画像Ｃｉｒの表示色を検知し、送信部９４が当該表示色を示す情報を送信する。タッチ検出機能付き表示装置１０の取得部７０は、当該情報を取得する。タッチ検出機能付き表示装置１０は、当該情報が示す色と、円画像Ｃｉｒの色とを対応付ける。具体的には、例えば図２５に示すように、判定部８０がキャリブレーション画面で表示された円画像Ｃｉｒの色と色センサ９２による円画像Ｃｉｒの表示色の検知結果との関係を示す対応付けデータ８２を記憶保持するためのメモリを有する。判定部８０は、判定処理に際して対応付けデータ８２を参照し、色センサ９２により検知された色が示す画像の色を特定するための処理を行う。判定部８０は、特定された色と部分領域の色とを照合し、指示装置９０による指示入力位置を判定する。
【００８１】
なお、対応付けデータ８２が示す「色センサ９２の検知結果が示す色と、円画像Ｃｉｒの色との関係」から、「判定処理に際して色センサ９２により検知された検知結果が示す色と、他の画像の色との関係」を特定する処理の具体的内容は、事前に決定されている。例えば「色センサ９２により円画像Ｃｉｒの色があるＲＧＢ階調値で検知された場合における、他の色の検知結果」を予め測定し、測定結果に基づいた「検知結果と画像の色との関係」を示すデータ又はアルゴリズムを判定部８０に組み込むことで、判定部８０は係る処理を行うことができるようになる。係る処理の具体的な実現方法は、適宜変更可能である。
【００８２】
図２７に示す例では、円画像Ｃｉｒへの指示入力を指示装置９０で行うよう促すメッセージが表示内容に含まれているが、係る表示内容に対応する通知はキャリブレーション画面を表示する前の別画面によってもよいし、タッチ検出機能付き表示装置１０が設けられた電子機器（例えば、図３０に示す電子機器２００）が有する図示しない音声デバイスを用いた音声等によってもよい。
【００８３】
図２８及び図２９は、キャリブレーション画面の別の一例を示す図である。キャリブレーション処理に用いる画像は、円画像Ｃｉｒ以外の画像であってもよく、適宜変更可能である。例えば、図２８に示すように、一方向（例えば、Ｘ方向）に沿って順次表示色が変化するグラデーション領域Ｇｒａを設け、当該グラデーション領域Ｇｒａを指示装置９０でなぞるように指示入力するよう促してもよい。この場合、複数の表示色について色センサ９２の検知結果を得ることができることから、検知結果と画像の色との関係の精度をより高めることができる。また、例えば赤（Ｒ）、緑（Ｇ）、青（Ｂ）のような特定の色を個別に表示した表示領域ＳＲ，ＳＧ，ＳＢを設け、これらの表示領域を個別に指示装置９０でタッチするよう促してもよい。特定の色は、適宜変更可能である。
【００８４】
図２７及び図２８では、キャリブレーション画面として専用に設けられた画面を示しているが、他の画面を用いてキャリブレーション処理を行うようにしてもよい。例えば、図２９に示すように、携帯端末（例えば、スマートフォン）のロック解除ボタンとして円画像Ｃｉｒと同様の画像を表示させ、当該携帯端末のユーザがロック解除操作を指示装置９０で行うタイミングでキャリブレーション処理を行うことができるようにしてもよい。なお、キャリブレーション画面では、部分領域毎の表示色の制御は不要である。
【００８５】
図３０は、アプリケーションソフトウェアを実行する情報処理装置とタッチ検出機能付き表示装置１０との関係の一例を示す図である。タッチ検出機能付き表示装置１０に対する入力は、指示装置９０を用いた指示入力以外もありうる。例えば、タッチ検出機能付き表示装置１０は、複数本の指を用いたマルチタッチ操作等による指示入力も受け付けることができる。タッチ検出機能付き表示装置１０がどのような指示入力を受け付けるかは任意に決定することができるが、本実施形態では、タッチ検出機能付き表示装置１０が設けられた電子機器２００（例えば、スマートフォン又はタブレット等）が有する情報処理装置１００の演算部１０１が記憶部１０２に記憶されているプログラム１０３を読み出して実行するアプリケーションソフトウェアと、当該アプリケーションソフトウェアの実行に際して用いられる指示入力方式とが対応付けられている。係る情報処理装置１００は、指示入力方式として指示装置９０を用いた指示入力を採用することを示す命令Ｓｅｎを出力する。タッチ検出機能付き表示装置１０の判定部８０は、係る命令Ｓｅｎに応じて、指示装置９０による指示入力を検知するとともにパームリジェクション処理で他の物体のタッチを無効にするモード（スライタスモード）で動作する。
【００８６】
図３１は、スライタスモードに係る処理の流れの一例を示すフローチャートである。制御部１１は、スライタスモードで動作するよう要求する命令Ｓｅｎがあるか否か判定する（ステップＳ１）。スライタスモードで動作するよう要求する命令Ｓｅｎがない又は当該命令Ｓｅｎが終了したと判定された場合（ステップＳ１；Ｎｏ）、制御部１１は、スライタスモードに係る処理を終了する。
【００８７】
スライタスモードで動作するよう要求する命令Ｓｅｎがあると判定された場合（ステップＳ１；Ｙｅｓ）、判定部８０は、キャリブレーション処理が実施済みであるか否か判定する（ステップＳ２）。キャリブレーション処理が実施済みであるか否かの判定基準の具体例を挙げると、その時点で採用されている画面の明るさでのキャリブレーション処理が実施済みであるか否かである。キャリブレーション処理が実施済みでない場合（ステップＳ２；Ｎｏ）、キャリブレーション処理に移行する（ステップＳ３）。
【００８８】
図３２は、キャリブレーション処理の流れの一例を示すフローチャートである。表示制御部６０は、キャリブレーション画面（例えば図２７、図２８又は図２９等）を表示させる（ステップＳ２１）。指示装置９０は、ユーザの操作によって表示面の所定位置（例えば、円画像Ｃｉｒ等の表示領域のように、キャリブレーション画面で指示入力することを示唆された位置）にタッチする（ステップＳ２２）。指示装置９０の色センサ９２は、ステップＳ２２でタッチした位置の表示色を検知する（ステップＳ２３）。指示装置９０の送信部９４は、ステップＳ２３で検知された表示色を示す情報を送信する（ステップＳ２４）。タッチ検出機能付き表示装置１０の取得部７０は、ステップＳ２４で送信された情報を取得する（ステップＳ２５）。判定部８０は、ステップＳ２５で取得された情報が示す色とキャリブレーション画面における画面の色（例えば、キャリブレーション画面で指示入力することを示唆された位置に対応する画素領域の出力階調値）とを対応付け（ステップＳ２６）、キャリブレーション処理を終了する。
【００８９】
なお、図３２の処理の流れでは省略しているが、ステップＳ２６の処理に際して、ステップＳ２５で取得された情報が示す色と表示色とが所定の閾値を超えて異なっている場合、キャリブレーション処理をやりなおさせるための処理を行ってもよい。具体的には、例えばキャリブレーション画面の表示時における指示装置９０のタッチ位置が誤ったタッチ位置（指示入力することを示唆された位置以外の位置）であった場合、キャリブレーション処理で意図した色の照合を行うことができない。この場合、表示制御部６０は、正しい位置に対する指示入力を行うよう示唆する通知を伴うキャリブレーション画面の再表示を行うようにしてもよい。また、この場合、判定部８０は、対応付けをキャンセルし、正しい位置に対する指示入力が行われた場合に対応付けを行う。
【００９０】
キャリブレーション処理の終了後又はステップＳ２においてキャリブレーション処理が実施済みであると判定された場合（ステップＳ２；Ｙｅｓ）、表示制御部６０は、複数の部分領域の各々で表示出力される色が異なるように画像の色を設定した画面（入力用画面）を表示部２０に表示させる（ステップＳ４）。その後、指示装置９０の送信部９４から送信された情報が取得部７０により取得されるまで待機する（ステップＳ５；Ｎｏ）。取得部７０により取得される情報が示す色の検知に係る指示装置９０の動作は、図３２におけるステップＳ２３、ステップＳ２４の処理と同様であるので、詳細な説明を省略する。指示装置９０の送信部９４から送信された情報が取得部７０により取得されると（ステップＳ５；Ｙｅｓ）、判定部８０は、入力用画像の色と取得部７０により取得された情報が示す色とに基づいて判定処理を行い（ステップＳ６）、指示装置９０のタッチ位置に対応する部分領域を判定する。判定部８０は、信号出力Ｖｏｕｔが示すタッチパネル座標のうち、判定処理により指示装置９０のタッチ位置と判定された部分領域以外のタッチパネル座標を無効にするパームリジェクション処理を行い（ステップＳ７）、ステップＳ１に移行する。
【００９１】
以上説明したように、本実施形態のタッチ検出システム１によれば、タッチ検出機能付き表示装置１０が、画像を表示する表示部２０と、指示装置９０による表示部２０の表示面に対する指示入力を検出するタッチ検出部３０と、指示装置９０が有する色センサ９２により検知された指示入力位置における表示色を示す情報を取得する取得部７０と、画像の色と取得部７０により取得された情報が示す色とに基づいて指示入力位置を判定する判定処理を行う判定部８０とを備える。これによって、指示装置９０による指示入力がタッチ検出部３０により検出された場合に、タッチ検出部３０により検出された指示入力位置と、指示入力位置における表示色と画像の色とに基づいて判定された指示入力位置とに基づいて指示入力位置を特定することができる。よって、指示装置９０による指示入力がタッチ検出部３０により検出された時に指示装置９０以外の物体の近接又はタッチの検出があったとしても、指示装置９０による指示入力をより確実に検出することができる。また、表示面に対する指示装置９０以外の物体のタッチ（近接又は接触）による入力の誤検出をより低減することができる。
【００９２】
また、判定部８０は、判定処理において表示部２０の表示領域を構成する複数の部分領域の各々で異なるように設定された画像の色と取得部７０により取得された情報が示す色とを照合する。これによって、指示装置９０による指示入力位置と表示部２０の表示領域における部分領域の位置とを対応付けることができることから、指示装置９０による指示入力位置をより高い精度で特定することができる。
【００９３】
また、タッチ検出部３０は、駆動電極ＣＯＭＬと、駆動電極ＣＯＭＬの少なくとも一部と誘電体を挟んで対向するタッチ検出電極ＴＤＬと、駆動電極ＣＯＭＬに印加された駆動信号に応じてタッチ検出電極ＴＤＬに生じた検出信号に基づいて指示入力を検出する検出部とを有し、判定部８０は、検出部による検出結果のうち判定処理により判定された指示入力位置に対応しない検出結果を無効にする。これによって、タッチ検出部３０により指示入力による指示入力が検出された時に指示装置９０以外の物体のタッチの検出があったとしても、指示装置９０以外の物体のタッチの検出を無効とすることができることから、指示装置９０による指示入力をより確実に検出することができる。また、表示面に対する指示装置９０以外の物体のタッチによる入力の誤検出をより低減することができる。
【００９４】
また、画像の色が固定の色であることで、判定処理をより単純化することができる。
【００９５】
また、画像の色が固定の色である画像が表示色と色センサ９２による検知結果とを対応付けるためのキャリブレーション画像であることで、画面の明るさ等、色センサ９２による検知結果が変ずる理由がある場合においても当該キャリブレーション画像を用いた対応付けによって判定処理による判定の精度をより高めることができる。
【００９６】
また、画像の色が指示入力に応じて変化し、判定部８０が指示入力に応じた変化前後の画像の色に基づいて判定処理を行うことで、指示入力に応じて画像の色が変ずる場合であっても指示装置９０による指示入力をより確実に検出することができる。また、表示面に対する指示装置９０以外の物体のタッチによる入力の誤検出をより低減することができる。
【００９７】
（変形例）
次に、本発明の変形例について説明する。変形例の説明に係り、上記の実施形態と同様の構成及び処理に係る説明については同じ符号を付して説明を省略することがある。
【００９８】
図３３は、変形例における部分領域毎の色の変化の差の一例を示すイメージ図である。図３４は、部分領域毎の色の変化の差を数値で表した例を示す図である。変形例における画像の色は、色の変化パターンが複数の部分領域の各々で異なる。具体的には、変形例における表示制御部６０は、例えば図３３及び図３４に示すように、複数の部分領域の各々で所定周期での色の変化パターンが異なるように入力用画面の表示内容を制御する。図３３及び図３４では、部分領域Ａ２でＲ，Ｇ，Ｂの各階調値のうちＲの階調値が所定周期で変動し、部分領域Ａ３でＲ，Ｇ，Ｂの各階調値のうちＧの階調値が所定周期で変動し、部分領域Ａ４でＲ，Ｇ，Ｂの各階調値のうちＢの階調値が所定周期で変動する例等を示しているが、これは一例であってこれに限られるものでなく、適宜変更可能である。また、色の変化量について図示していない他の部分領域も、それぞれ異なる階調値の変動をするように表示制御される。表示制御部６０は、複数の部分領域の各々で予め定められた画像の色の変動範囲に従って表示出力内容を制御する。複数の部分領域の各々で予め定められた画像の色の変動範囲は、それぞれ異なっている。なお、図３３及び図３４における部分領域Ａ１のように、色の変化量がゼロである部分領域が混在していてもよい。また、図３４における部分領域Ｂ１のように、Ｒ，Ｇ，Ｂの各階調値のうち複数の階調値（例えば、Ｒ及びＧ）が変化していてもよい。
【００９９】
変形例における指示装置９０の色センサ９２は、変動している表示色を所定周期以上の時間をかけて検知することで、表示色の変動を検知する。すなわち、色センサ９２によって表示色の変動範囲が検知されることになる。取得部７０は、色センサ９２により検知された表示色を示す情報を逐次送信する。タッチ検出機能付き表示装置１０の取得部７０は、逐次送信される情報を逐次取得することで、表示色の変動範囲を示す情報を取得する。判定部８０は、判定処理において表示色の変動範囲を示す情報と複数の部分領域の各々で予め定められた画像の色の変動範囲とを照合し、指示入力位置を判定する。指示入力位置の判定後のパームリジェクション処理及びキャリブレーション処理については、上記の実施形態と同様である。ただし、変形例では、キャリブレーション画面における円画像Ｃｉｒ等、キャリブレーション処理において指示入力することを示唆するための画像も図３３及び図３４に示す例と同様に所定周期で色が変化する。変形例における判定部８０は、指示装置９０の色センサ９２により検知される色と円画像Ｃｉｒ等の色との対応付けとともに、色センサ９２により検知される色の変動範囲と表示制御部６０により制御される変動範囲との関係を対応付ける。画像の色が変化する所定周期は任意であるが、例えば色センサ９２による検知の時間分解能（ｆｐｓ）に応じて決定されることが望ましい。また、複数の部分領域の各々で画像の色が変化する周期が一律でなくてもよい。例えば、複数の部分領域の各々で色が変化する周期がそれぞれ異なるようにしてもよい。
【０１００】
図３５は、指示装置９０による指示入力の開始前の表示例を示す図である。図３６は、指示装置９０による指示入力内容が反映された表示例を示す図である。図３６は、図３５に示すような白表示の入力画面において、灰色の線分を引く指示入力が行われた場合の例を示している。図３６に示すように、指示入力により引かれた灰色の線分は各部分領域で色の変化が異なるよう表示制御される。このように、変形例では、指示入力に応じて表示内容が変化する場合に変化前及び変化後の両方で色の変化パターンを複数の部分領域の各々で異ならせる。図３５、図３６では部分領域Ｆ４，Ｇ４に灰色の線分が引かれる場合を示しているが、これは指示入力内容に応じて表示内容が変化する場合の一例であってこれに限られるものでなく、他の変化についても同様の処理が適用される。
【０１０１】
図３７は、変形例におけるスライタスモードに係る処理の流れの一例を示すフローチャートである。図３７に示すフローチャートは、図３１に示すフローチャートのステップＳ４〜ステップＳ６をステップＳ３１〜ステップＳ３３に置き換えたフローチャートである。以下、ステップＳ３１〜ステップＳ３３について説明する。
【０１０２】
表示制御部６０は、複数の部分領域の各々で色の変化パターンが異なるように制御された画面を表示部２０に表示させる（ステップＳ３１）。その後、指示装置９０の送信部９４から送信された情報が取得部７０により取得されるまで待機する（ステップＳ３２；Ｎｏ）。指示装置９０の送信部９４から送信された情報が取得部７０により取得されると（ステップＳ３２；Ｙｅｓ）、判定部８０は、ステップＳ３１の表示内容における複数の部分領域の各々の色の変動範囲と取得部７０により取得された情報が示す色の変動範囲とに基づいて判定処理を行い（ステップＳ３３）、指示装置９０の接触位置を示すタッチパネル座標Ｓｉｇを判定する。
【０１０３】
以上のように、変形例における画像の色は、色の変化パターンが複数の部分領域の各々で異なる。これによって、複数の部分領域の各々を識別するための色のパターンをより多くすることができる。また、部分領域をより細分化した場合においても、色の変化パターンの差による部分領域の識別ができることから、固定された色の差のみで部分領域を識別する場合に比して最も色差が大きくなる部分領域同士の色差をより小さくすることができる。
【０１０４】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１０５】
１        タッチ検出システム
１０      タッチ検出機能付き表示装置
２０      表示部
３０      タッチ検出部
４０      検出部
５０      光源装置
６０      表示制御部
７０      取得部
８０      判定部
９０      指示装置
９２      色センサ
９４      送信部
ＣＯＭＬ  駆動電極
ＴＤＬ    タッチ検出電極
【図１】
2016206732.tif 000003
【図２】
2016206732.tif 000004
【図３】
2016206732.tif 000005
【図４】
2016206732.tif 000006
【図５】
2016206732.tif 000007
【図６】
2016206732.tif 000008
【図７】
2016206732.tif 000009
【図８】
2016206732.tif 000010
【図９】
2016206732.tif 000011
【図１０】
2016206732.tif 000012
【図１１】
2016206732.tif 000013
【図１２】
2016206732.tif 000014
【図１３】
2016206732.tif 000015
【図１４】
2016206732.tif 000016
【図１５】
2016206732.tif 000017
【図１６】
2016206732.tif 000018
【図１７】
2016206732.tif 000019
【図１８】
2016206732.tif 000020
【図１９】
2016206732.tif 000021
【図２０】
2016206732.tif 000022
【図２１】
2016206732.tif 000023
【図２２】
2016206732.tif 000024
【図２３】
2016206732.tif 000025
【図２４】
2016206732.tif 000026
【図２５】
2016206732.tif 000027
【図２６】
2016206732.tif 000028
【図２７】
2016206732.tif 000029
【図２８】
2016206732.tif 000030
【図２９】
2016206732.tif 000031
【図３０】
2016206732.tif 000032
【図３１】
2016206732.tif 000033
【図３２】
2016206732.tif 000034
【図３３】
2016206732.tif 000035
【図３４】
2016206732.tif 000036
【図３５】
2016206732.tif 000037
【図３６】
2016206732.tif 000038
【図３７】
2016206732.tif 000039